(57)【要約】      （修正有）【課題】タッチパネル上に操作部材を配置した場合であっても、操作部材と干渉すること無く画像表示を可能とした撮像装置を提供する。【解決手段】被写体を撮像する撮像部１０２と、撮像した画像や撮影済みの画像、撮影条件設定情報などが表示可能な液晶パネル１０９と、液晶パネル１０９上にタッチパネル１０８を有する撮像装置において、タッチパネル１０８上に着脱可能な操作部材２００、３００と、操作部材２００、３００の位置、外形を検知する検知手段と、操作部材２００、３００の外形を演算可能な接円演算手段と、接円内で最大矩形範囲を演算し、画像表示範囲とする画像表示範囲設定手段を備える。タッチパネルの中心からの距離が近い上位３つ以内の操作部材２００、３００等の接円内の最大矩形範囲、もしくは、内接円とタッチパネル外形に囲まれた最大の矩形領域のいずれか一方を画像表示範囲として設定する。【選択図】図１（ａ）
2019057855.tif 000002
【特許請求の範囲】
【請求項１】
被写体を撮像する撮像部（１０２）と、撮像部（１０２）で撮像した画像や撮影済みの画像、撮影条件設定情報が表示可能な液晶パネル（１０９）と、液晶パネル（１０９）上に重畳配置されるタッチパネル（１０８）を有する撮像装置（１００）において、タッチパネル（１０８）上に任意の位置に着脱可能な操作部材（２００、３００）と、操作部材（２００、３００）が配置され、且つ、その操作部材（２００、３００）の位置、外形を検知する検知手段（１０８、１１１）と、操作部材（２００、３００）の外形と接する接円を演算可能な接円演算手段（１１１）と、接円内で最大矩形範囲を演算し、画像表示範囲とする画像表示範囲設定手段（１１１）を備え、タッチパネル（１０８）の縦横の中心からの距離が近しい上位３つ以内の操作部材（２００、３００）の外形に接する接円内の最大矩形範囲、もしくは、前記内接円とタッチパネル（１０８）外形に囲まれた最大の矩形領域、いずれか一方を画像表示範囲（５０３）して設定することを特徴とする撮像装置（１００）。
【請求項２】
タッチパネル（１０８）の縦中心（５００）から左右いずれかの範囲に操作部材（２００、３００）が配置されていないと検知した場合は、タッチパネル（１０８）の縦中心（５００）からの距離が短い上位２つの操作部材（２００、３００）外形と、タッチパネル（１０８）外形に囲まれた範囲を画像表示範囲（５０３）とすることを特徴とする請求項１に記載の撮像装置（１００）。
【請求項３】
所定の画像表示範囲（５０３）サイズを下回るような位置に操作部材（２００、３００）が配置されたと判断された場合は表示装置１０７に警告を表示することを特徴とする請求項１に記載の撮像装置（１００）。
【請求項４】
表示装置１０７上であり、且つ、画像表示範囲（５０３）、及び、操作部材（２００、３００）が配置された場所以外の領域に画像や撮影に関する情報を表示することを特徴とする請求項１に記載の撮像装置（１００）。
【発明の詳細な説明】
【技術分野】
【０００１】
本発明は撮像装置に関し、特にタッチパネルを操作する操作部材の配置と、画像の表示範囲の設定に関するものである。
【背景技術】
【０００２】
通常、撮像装置には背面に表示装置が備えられており、ライブビュー撮影時にはスルー画を表示して構図を定めるのに用い、また、画像再生時には撮影した画像の表示を行う。近年、表示画像を見やすくするために、より大型の表示装置の搭載が望まれている。また、表示装置には操作性の自由度や操作性自体の向上のためにタッチパネルを採用しているものがある。
【０００３】
特許文献１では操作性を向上させるために、タッチパネルを操作可能な操作部材を有し、前記操作部材は表示装置の一部を覆うように配置される操作位置と、表示装置を覆わない退避位置とに変更可能な撮像装置が開示されている。
【先行技術文献】
【特許文献】
【０００４】
【特許文献１】特開２００８−１０９４３９号公報
【発明の概要】
【発明が解決しようとする課題】
【０００５】
しかしながら、上述の特許文献１に開示された従来技術では、決まった位置にしか操作部材を配置することが出来ないため、人種や性別、年齢の異なるユーザーの手の大きさの違いにより誤操作や操作性の低下が懸念される。
【０００６】
また、操作部材が表示装置の一部を覆うように配置された場合は、表示装置に表示される画像などが操作部材から隠れないように縮小表示されてしまうため、大型の表示装置を搭載したとしても再生画像などの視認性が低下してしまう問題がある。
【０００７】
そこで、本発明の目的は、タッチパネル上にユーザーが操作し易い任意の位置に操作部材を配置した場合であっても、操作部材と干渉すること無く、最大の画像表示範囲で画像表示を可能とした撮像装置を提供することである。
【課題を解決するための手段】
【０００８】
上記目的を達成するために、本発明は、被写体を撮像する撮像部と、撮像部で撮像した画像や撮影済みの画像、撮影条件設定情報などが表示可能な液晶パネルと、液晶パネル上に重畳配置されるタッチパネルを有する撮像装置において、タッチパネル上に任意の位置に着脱可能な操作部材と、操作部材が配置され、且つ、その操作部材の位置、外形を検知する検知手段と、操作部材の外形と接する接円を演算可能な接円演算手段と、接円内で最大矩形範囲を演算し、画像表示範囲とする画像表示範囲設定手段を備え、タッチパネルの縦横の中心からの距離が近しい上位３つ以内の操作部材の外形に接する接円内の最大矩形範囲、もしくは、前記内接円とタッチパネル外形に囲まれた最大の矩形領域、いずれか一方を画像表示範囲して設定することを特徴とする。
【発明の効果】
【０００９】
本発明によれば、タッチパネル上にユーザーが操作し易い任意の位置に操作部材を配置した場合であっても、操作部材と干渉すること無く、最大の画像表示範囲で画像表示を可能とした撮像装置を提供することが出来る。
【図面の簡単な説明】
【００１０】
【図１（ａ）】本発明の実施形態に係る撮像装置の構成を示すブロック図
【図１（ｂ）】本発明の実施形態に係る撮像装置の背面図
【図２（ａ）】同実施形態に係る第一の操作部材の分解斜視図
【図２（ｂ）】同実施形態に係る第一の操作部材の断面図
【図３（ａ）】同実施形態に係る第二の操作部材の分解斜視図
【図３（ｂ）】同実施形態に係る第二の操作部材の断面図
【図４】同実施形態に係る第一の操作部材、及び、第二の操作部材をタッチパネル上に配置する際の検知、及び、制御に関するフローチャート
【図５（ａ）】同実施形態に係る第一の操作部材、及び、第二の操作部材の配置位置によって算出される画像表示範囲を示す図
【図５（ｂ）】同実施形態に係る第一の操作部材、及び、第二の操作部材の配置位置、タッチパネル範囲によって算出される画像表示範囲を示す図
【図５（ｃ）】同実施形態に係るタッチパネル範囲の縦の中心線を挟んで左右いずれか一方の範囲にしか操作部材が配置されない場合に算出される画像表示範囲を示す図
【図５（ｄ）】同上図
【図５（ｅ）】同実施形態に係る操作部材の追加よって画像表示範囲が縮小してしまう例を示す図
【発明を実施するための形態】
【００１１】
以下に、本発明の好ましい実施の形態を、添付の図面に基づいて詳細に説明する。図１（ａ）、（ｂ）は本発明の実施形態に関わる撮像装置の構成を示すブロック図、及び、撮像装置の背面図である。
【００１２】
同図において、１００は撮像装置である。１０１は被写体に対しての合焦位置関係を持つズームレンズ及びフォーカスレンズからなる撮影レンズ、１０２は光電変換を行うＣＣＤやＣＭＯＳなどの撮像素子（請求項に記載の撮像部１０２に相当）である。１０３は撮像素子１０２のアナログ信号出力をデジタル信号に変換するＡ／Ｄ変換回路であり、１０４は撮像素子１０２を駆動させる撮像駆動回路である。１０５は画像信号処理回路であり、Ａ／Ｄ変換回路１０３や中央演算処理装置１１１からの制御信号・映像信号を受け、表示装置制御回路１０６に映像信号を出力する。
【００１３】
１１２は撮像装置１００の姿勢を検知する姿勢検知センサであり、ピエゾ抵抗方式や静電容量方式などの角速度センサが用いられる。１０７は表示装置であり、ＬＣＤ（Liquid Crystal Display）などの液晶パネル１０９、ならびに液晶パネルの背面より光を照射するバックライト１１０、更にタッチパネル１０８で構成される。
【００１４】
タッチパネル１０８は、指先と導電膜との間の静電容量の変化を捉えて検知する静電容量方式や、透明電極が配置され、手指などで押し下げた力点の位置座標を電圧値で検出する感圧方式（抵抗膜圧方式）などで構成される入力装置である。また、タッチパネル１０８は、液晶パネル１０９の表示画面上に重畳されて配設され、液晶パネル１０９と一体化している。液晶パネル１０９に表示される画像や、タッチ操作用のボタンは、タッチパネル１０８を介して視認可能である。
【００１５】
本実施例では液晶パネル１０９のサイズと、タッチパネル１０８のサイズは同一として説明を行うが、タッチの有効範囲を大きくするべく、液晶パネル１０９よりタッチパネル１０８の方を大型化させてもよく、逆にタッチ範囲を規制するべく、液晶パネル１０９よりタッチパネル１０８の方を小型化させるようにしてもよい。また、タッチパネル１０８の方式については携帯型の機器に対して操作性が優位な静電容量方式を用いた場合を前提として説明する。
【００１６】
１１１は中央演算処理装置であり、撮像駆動回路１０４、画像信号処理回路１０５、表示装置制御回路１０６などの制御、姿勢検知センサ１１２などの駆動・制御を行う装置である。また、ユーザーが所定の操作を行うことで中央演算処理装置１１１は撮像素子１０２からの信号をＡ／Ｄ変換回路１０３、画像信号処理回路１０５を介して直接表示装置制御回路１０６、及び、表示装置１０７に出力する処理を行う。上記処理を行うことで撮像素子１０２からの映像信号をリアルタイムで表示装置に表示するライブビュー表示を行うことが可能となる。
【００１７】
１１３は光学ファインダであり、表示装置１０７によるライブビュー機能を使用すること無しに、光学ファインダのみを用いて撮影を行うことが可能である。１１４はメモリであり、中央演算処理装置１１１により、撮影された画像データの書き込み、読み出しが行われる。メモリ１１４は、メモリＩＣや不図示のケーブルコネクタを介して中央演算処理装置１１１と通信するハードディスクドライブ、または不図示のスロットコネクタなどを介して通信を行うメモリーカードなどで構成される。
【００１８】
２００（ａ）、２００（ｂ）、２００（ｃ）は第一の操作部材、３００は第二の操作部材である。前記操作部材をタッチパネル１０８上の任意の位置に配置することでユーザーは第一の操作部材２００（ａ）、２００（ｂ）、２００（ｃ）、第二の操作部材３００を介してタッチパネルを操作することが可能である。
次に、第一の操作部材２００（ａ）、２００（ｂ）、２００（ｃ）、及び、第二の操作部材３００について図２、図３を参照して説明する。図２（ａ）は第一の操作部材２００の分解斜視図、（ｂ）は断面図であり、第一の操作部材２００は押し込み型のボタン構造となっている。
【００１９】
２０１はキートップであり、導電性の樹脂などで構成され、ユーザーが直接指で押し込む操作部である。また、キートップ２０１は凸状部２０１ａを有している。２０２は弾性部材であり、ゴムなどの弾性材料で構成され、変形可能な変形部２０２ａ、及び、中心部に第一の開口２０２ｂ及び第二の開口２０２ｃの貫通穴を有している。キートップ２０１の凸状部２０１ａが弾性部材２０２の第一の開口２０２ｂに圧入されることでキートップ２０１は弾性部材２０２に係合される。２０４はフィルム部材であり、表示装置１０７に配置されたタッチパネル１０８の表面に分子間力などで貼り付け可能な構成となっている。
【００２０】
弾性部材２０２の裏面に配置された両面テープ２０３などで弾性部材２０２とフィルム部材２０４は固着される。つまり、タッチパネル１０８上に配置された第一の操作部材２００は、キートップ２０１を押し込むことで弾性部材２０２の変形部２０２ａが変形し、第二の開口２０２ｃから凸状部２０１ａが突出することでタッチパネル１０８と接触する構造となっている。キートップ２０１は導電性の樹脂で構成されているため、凸状部２０１ａがタッチパネル１０８に接触した箇所はユーザーが指でタッチした場合と同様の操作が可能となる。
【００２１】
また、第一の操作部材２００はフィルム部材２０４の分子間力によってタッチパネル１０８上に配置されているので容易に取り外し可能であり、ユーザーがタッチパネル１０８上の任意の位置に配置可能な構成となっている。
【００２２】
図３（ａ）は第二の操作部材３００の分解斜視図、（ｂ）は断面図であり、第二の操作部材３００は円周方向に回転可能なダイヤル構造となっている。３０１はキャップであり、樹脂などで構成され、ダイヤルを回転させた際にクリック感を生じさせるためのクリックボール３０６やクリックボールを付勢する不図示のコイルスプリングなどを封止する蓋である。３０２はダイヤルベースであり、導電性の樹脂で構成され、内側にダイヤルを回転させた際にクリックボール３０６によってクリック感を生じさせるための同心円状に配置された不図示の波型形状を有し、更に裏面には位相凸形状３０２ａを有している。
【００２３】
３０３は位相板であり、非導電性の樹脂で構成され、内部に導電性を有する位相部３０３ａが形成されている。位相部３０３ａは表裏の同位置に導電・非導電部が交互に配置されたゼブラパターンのエラストマーや、樹脂メッキなどで導電・非導電を形成するようにパターニングされた部材を位相板３０３にインサート成形するなどで構成される。
【００２４】
３０４はフィルム部材であり、表示装置１０７に配置されたタッチパネル１０８の表面に分子間力などで貼り付け可能な構成となっている。フィルム部材３０４の裏面に配置された不図示の両面テープなどで位相板３０３とフィルム部材３０４は固着される。位相板３０３とフィルム部材３０４が固着された際、位相部３０３ａの表面はフィルム部材３０４と略同一面に位置する構成となっている。また、タッチパネル１０８の感度によっては位相部３０３ａはタッチパネル１０８に接していなくてもよく、所定の静電容量の変化が検知できる距離まで浮かせた構成にしてもよい。
【００２５】
３０５は締結部材であり、ダイヤルベース３０２を回転可能、且つ、位相凸形状３０２ａと位相板３０３の位相部３０３ａが所定距離まで近接するようにダイヤルベース３０２をキャップ３０１と位相板３０３とで挟み込み、共締めしている。ダイヤルベース３０２を回転させることで位相凸形状３０２ａが位相板３０３の位相部３０３ａ上を連続的に移動する構造となっている。つまり、タッチパネル１０８上に配置された第二の操作部材３００は、ダイヤルベース３０２をユーザーが円周方向に回転操作すると静電容量が変化する位置が連続的に移動し、ユーザーがタッチパネル上を指で円状に移動させた場合と同様の操作が可能となる。
【００２６】
また、第二の操作部材３００も第一の操作部材２００と同様にフィルム部材３０５の分子間力によってタッチパネル１０８上に配置されているので容易に取り外し可能であり、ユーザーがタッチパネル１０８上の任意の位置に配置可能な構成となっている。
【００２７】
図４は第一の操作部材２００、及び、第二の操作部材３００などをタッチパネル１０８上に配置する際の検知、及び、制御に関するフローチャートである。先ず、ユーザー操作によって撮像装置の所定のメニューコマンドより第一の操作部材２００、及び、第二の操作部材３００のレイアウトモードへ移行操作が行われる（ステップＳ４０１）。レイアウトモード移行後、表示装置１０７に第一の操作部材２００、及び、第二の操作部材３００をタッチパネル１０８上の任意の位置に配置するようユーザーに促すメッセージを表示する（ステップＳ４０２）。
【００２８】
このとき、第一の操作部材２００、及び、第二の操作部材３００を配置後、第一の操作部材２００であれば一度押し込み、第二の操作部材３００であれば少なくとも２クリック回転をユーザーが行うことでタッチパネル１０８が静電容量の変化を検知し、どの操作部材がどの位置に配置されたのか検知・識別を行う。
【００２９】
ユーザーによって第一の操作部材２００、及び、第二の操作部材３００の配置が完了したと判断された場合、例えば、タッチパネル１０８上に表示された所定のコマンドをユーザーが操作することで操作部材の配置位置が決定される（ステップＳ４０３）。
【００３０】
次に、撮像装置１００内にあらかじめ記録されている操作部材情報から、検知した操作部材の最大外形を中央演算処理装置１１１によって識別、及び、読み出し処理を行う（ステップＳ４０４）。例えば、各操作部材のフィルム部材２０４、３０５に検知用の個別パターニングを施し、キートップ２０１やダイヤルベース３０２と導通させる構成とすることで、ユーザーが配置した際、個別のパターニングによってどの操作部材がどの位置に配置されたのか自動で検知できるような構成としても良い。
【００３１】
次に、タッチパネル１０８上に第一の操作部材２００、及び、第二の操作部材３００が配置された位置・数量に応じて画像表示範囲５０３が中央演算処理装置１１１、表示装置制御回路１０６によって算出される（ステップＳ４０５）。
【００３２】
画像表示範囲５０３の算出方法については図５を用いて説明する。図５（ａ）に示す５００（ａ）はタッチパネル１０８範囲の縦中心を示す中心線、５００（ｂ）はタッチパネル１０８範囲の横中心を示す中心線である。先ず、中央演算処理装置１１１によって縦中心線５００（ａ）、横中心線５００（ｂ）の交点からタッチパネル１０８上に配置された各第一の操作部材２００（ａ）、２００（ｂ）、２００（ｃ）、及び、第二の操作部材３００の外形までの最短距離５０１（ａ）、５０１（ｂ）、５０１（ｃ）、５０１（ｄ）が算出される。
【００３３】
次に、縦中心線５００（ａ）、横中心線５００（ｂ）の交点からの距離が近しい操作部材の上位３つ以内の操作部材外形が中央演算処理装置１１１によって算出され、その操作部材外形に接する接円５０２が算出される。
【００３４】
図５（ａ）においては、縦中心線５００（ａ）、横中心線５００（ｂ）の交点から各操作部材までの距離は５０１（ｃ）＜５０１（ｂ）＜５０１（ａ）＜５０１（ｄ）の順で遠くなっているため、前記接円５０２は５０１（ａ）、５０１（ｂ）、５０１（ｃ）の値を用いて算出される。
【００３５】
更に中央演算処理装置１１１によって算出された接円５０２内で、且つ、最大範囲の矩形領域を画像表示範囲５０３として算出し、画像を表示する範囲の候補として表示装置１０７上でユーザーに明示する。
【００３６】
この時、図５（ｂ）に示すように第一の操作部材２００（ａ）、２００（ｃ）、及び、第二の操作部材３００の配置位置によって画像表示範囲５０３がタッチパネル１０８の範囲より大きくなってしまう場合は、接円５０２とタッチパネル１０８範囲によって形成される領域内で最大の矩形領域を画像表示範囲５０３とする。
【００３７】
また、撮影画像によっては縦位置で撮影した画像や、所定のアスペクト比で撮影された画像が表示される場合もある。
【００３８】
前述のような画像を表示する際においても、算出された接円５０２内で、且つ、最大範囲の矩形領域、もしくは、接円５０２とタッチパネル１０８範囲によって形成される領域内で最大の矩形領域を画像表示範囲５０３とする。
【００３９】
図５（ｃ）、（ｄ）に示すように、例えばユーザーの操作性の嗜好によって表示装置１０７の縦の中心線５００を挟んで左右いずれか一方の範囲にしか操作部材が配置されない場合もある。前述のように縦の中心線５００を挟んで左右いずれか一方にしか操作部材が配置されていないと検知した場合は、表示装置１０７の縦の中心線５００からの距離が近しい操作部材の上位２つ以内の操作部材外形と、タッチパネル１０８範囲に囲まれた領域において、最大となる矩形領域を画像表示範囲５０３とする。
【００４０】
図５（ｅ）は図５（ｃ）に対し、ユーザーがタッチパネル１０８の中心付近に更に第一の操作部材２００を１個追加して配置した図である。図５（ｅ）に示す通り、操作部材の追加する位置によっては接円５０２が極端に小さくなってしまい、接円５０２内に形成される画像表示範囲５０３についても連動して小さくなり、視認性が落ちてしまう。
【００４１】
第一の操作部材２００、及び、第二の操作部材３００の配置位置によって画像表示範囲５０３が所定より小さくなってしまう場合は、ユーザーに操作部材の配置位置や数を見直すよう、表示装置１０７上に警告を出し、操作部材の複数置きすぎや配置位置の非適性を知らしめることができるようにすることが好ましい。
【００４２】
また、タッチパネル１０８上の第一の操作部材２００、及び、第二の操作部材３００、画像表示範囲５０３と被らない位置に撮影条件や画像情報を表示するようにすることで未使用スペースの有効活用、ユーザビリティの向上という観点からも好ましい。
【００４３】
算出された画像表示範囲５０３の候補が問題無いとユーザーによって判断されると、ユーザー操作によって撮像装置の所定のメニューコマンドよりレイアウトモード終了操作が行われる（ステップＳ４０６）。
【００４４】
また、画像表示範囲５０３をもっと大きくしたいなどの意向がある場合は、タッチパネル１０８上に配置された第一の操作部材２００、及び、第二の操作部材３００の位置を任意に移動させ、画像表示範囲５０３を自由に変更することが可能である。
【００４５】
上記の実施例の撮像装置１００の構成をまとめると次のとおりである。被写体を撮像する撮像部１０２と、撮像部１０２で撮像した画像や撮影済みの画像、撮影条件設定情報などが表示可能な液晶パネル１０９と、液晶パネル１０９上に重畳配置されるタッチパネル１０８を有する撮像装置１００である。
【００４６】
タッチパネル１０８上に任意の位置に着脱可能な操作部材２００、３００と、操作部材２００、３００が配置され、且つ、その操作部材２００、３００の位置、外形を検知する検知手段１０８、１１１を備える。また、操作部材２００、３００の外形と接する接円を演算可能な接円演算手段１１１と、接円内で最大矩形範囲を演算し、画像表示範囲とする画像表示範囲設定手段１１１を備える。
【００４７】
そして、タッチパネル１０８の縦横の中心からの距離が近しい上位３つ以内の操作部材２００、３００の外形に接する接円内の最大矩形範囲、もしくは、前記内接円とタッチパネル（１０８）外形に囲まれた最大の矩形領域、いずれか一方を画像表示範囲５０３して設定することを特徴とする。
【００４８】
また、タッチパネル１０８の縦中心５００から左右いずれかの範囲に操作部材２００、３００が配置されていないと検知した場合は、タッチパネル１０８の縦中心５００からの距離が短い上位２つの操作部材２００、３００外形と、タッチパネル１０８外形に囲まれた範囲を画像表示範囲５０３とすることを特徴とする。所定の画像表示範囲５０３サイズを下回るような位置に操作部材２００、３００が配置されたと判断された場合は表示装置１０７に警告を表示することを特徴とする。表示装置１０７上であり、且つ、画像表示範囲５０３、及び、操作部材２００、３００が配置された場所以外の領域に画像や撮影に関する情報を表示することを特徴とする。
【００４９】
上記構成とすることで、タッチパネル１０８上にユーザーがブラインド操作し易い任意の位置に操作部材を配置可能であり、且つ、操作部材と干渉すること無く、最大の画像表示範囲５０３で画像表示が可能となる。
【００５０】
以上、撮像装置を用いて本発明の好ましい実施形態について説明したが、本発明はこれらの実施形態に限定されず、表示装置１０７を有する他の電子機器においても、その要旨の範囲内で種々の変形及び変更が可能である。
【００５１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１００・・・撮像装置
１０２・・・撮像部
１０８・・・タッチパネル
１０９・・・液晶パネル
１１１・・・中央演算処理装置
２００・・・第一の操作部材
３００・・・第二の操作部材
５０３・・・画像表示範囲
【図１（ａ）】
2019057855.tif 000003
【図１（ｂ）】
2019057855.tif 000004
【図２（ａ）】
2019057855.tif 000005
【図２（ｂ）】
2019057855.tif 000006
【図３（ａ）】
2019057855.tif 000007
【図３（ｂ）】
2019057855.tif 000008
【図４】
2019057855.tif 000009
【図５（ａ）】
2019057855.tif 000010
【図５（ｂ）】
2019057855.tif 000011
【図５（ｃ）】
2019057855.tif 000012
【図５（ｄ）】
2019057855.tif 000013
【図５（ｅ）】
2019057855.tif 000014